(57)【要約】【課題】  メダルタンク装置内のメダル貯留状態をメダルの量をメダル計数機の表示画面に分かり易く表示することができるメダル計数機およびメダル計数システムを提供する。【解決手段】  メダル計数機３００は、受け入れたメダルを円板駆動部３０９より計数センサ３１１に搬送し、計数センサ３１１で計数されたメダルをメダルタンク装置４００に排出する。  そして、メダル計数機３００は、メダルタンク装置４００のメダルの収容状態に関する状態情報をタンク通信部３０５より取得し、取得した状態情報に基づいてメダルタンク装置４００のメダルの収容状態を表示／操作部３０４に表示する。【選択図】  図３
2008119190.tif 000002
【特許請求の範囲】
【請求項１】
遊技機による遊技により獲得したメダルを受け入れるメダル受入手段と、
前記メダル受入手段により受け入れたメダルを計数する計数手段と、
前記計数手段で計数したメダルをメダルタンク装置に排出するメダル排出手段と、
前記メダルタンク装置に収容されているメダルの収容状態に関する状態情報を取得する取得手段と、
前記取得手段によって取得した前記状態情報に基づいて前記メダルタンク装置のメダルの収容状態を表示する表示手段と
を具備するメダル計数機。
【請求項２】
前記表示手段は、
前記状態情報が示す前記メダルタンク装置のメダル収容量に対応して前記メダルタンク装置の状態表示を段階的に切り換える請求項１記載のメダル計数機。
【請求項３】
前記表示手段は、
前記メダルタンク装置の状態表示を図形、文字、色の少なくとも１つを用いて表示する請求項２記載のメダル計数機。
【請求項４】
前記表示手段は、
前記状態情報が示す前記メダルタンク装置のメダル収容量が該メダルタンク装置で収容可能なメダル上限容量に近くなったときにその旨を表示する請求項２または３記載のメダル計数機。
【請求項５】
前記表示手段は、
前記状態情報が示す前記メダルタンク装置のメダル収容状態が異常状態になったときにその旨を表示する請求項２乃至４のいずれかに記載のメダル計数機。
【請求項６】
メダル計数機と、
前記メダル計数機で計数したメダルを収容するメダルタンク装置と
を備え、
前記メダル計数機は、
遊技機による遊技により獲得したメダルを受け入れるメダル受入手段と、
前記メダル受入手段により受け入れたメダルを計数する計数手段と、
前記メダルタンク装置に収容されているメダルの収容状態に関する状態情報を取得する取得手段と、
前記取得手段によって取得した前記状態情報に基づいて前記メダルタンク装置のメダルの収容状態を表示する表示手段と
を具備し、
前記メダルタンク装置は、
該メダルタンク装置に収容されたメダルの収容状態を検知する検知手段と、
前記検知手段で検知したメダルの収容状態に関する状態情報を前記メダル計数機に送信する送信手段と
を備えるメダル計数システム。
【請求項７】
前記検知手段は、
前記メダルタンク装置に収容されたメダルの収容量を検知する複数個のレベルセンサを有し、
前記送信手段は、
前記複数個のレベルセンサのそれぞれの検知状態に基づき前記メダルタンク装置に収容されているメダルの収容状態に関する状態情報を前記メダル計数機に送信する
請求項６記載のメダル計数システム。
【発明の詳細な説明】
【技術分野】
【０００１】
本発明は、メダル計数機およびメダル計数システムに関する。
【背景技術】
【０００２】
従来より、パチスロは、遊技客がメダルをパチスロ機に投入してゲームを行い、ゲームに入賞することでメダルが獲得される遊技である。
【０００３】
このようにして遊技客が獲得したメダルは、メダル計数機により計数されて、メダル計数機の下に位置するメダルタンク装置に貯留（収容）される。
【０００４】
メダル計数機は、メダルを計数する装置であり、メダルタンク装置は、メダル計数機によって計数されたメダルを貯留する装置である。
【０００５】
メダルタンク計数機とメダルタンク装置とに関する技術については、特許文献１に、メダル計数機にメダル通過センサと不正検出用メダル通過センサを備え、メダル通過センサがメダルを検知してから所定時間内に不正検出用メダル通過センサがメダルを検知できないと不正な行為が行われたとしてメダル計数機への不正を確実に検知するメダル計数機における不正検出方法が提案されている。
【０００６】
また、特許文献２には、ロック機構と走行機構とを備えたメダル計数機構であって、レイアウトの自由度が大きく移動が容易で、隣接の研磨装置のメンテナンスが簡便に行うことができるメダル計数機構が提案されている。
【特許文献１】特開２００２−２３９０７８号公報
【特許文献２】特開２００４−８１５１５号公報
【発明の開示】
【発明が解決しようとする課題】
【０００７】
このようにメダル計数機で計数されたメダルはメダルタンク装置に貯留されるが、メダルタンク装置内でメダルが満杯になると、メダル計数機はメダルの新たな受け入れが行えなくなり、メダル計数機を使用中止状態にしてメダルタンク装置内のメダルを外部回収する必要が生じる。
【０００８】
外部回収を行うと、遊技客に対して、待ってもらったり他のメダル計数機に移動してもらったりして迷惑を掛けてしまう。
【０００９】
特に、閉店間際にはメダルを計数しようとする遊技客が集中する為、この時間帯にメダル計数機が使用中止になると大きな影響を及ぼす。
【００１０】
そのため、店員はメダルが満杯状態にならないようにメダルタンク内の状態を把握するためのメダル計数機の下の扉を開けてメダルタンク装置内部を覗き込む動作を行う必要があった。
【００１１】
また、メダルタンク装置側に表示部があっても下方や裏面の見えにくい位置にあり見落とされやすかった。
【００１２】
そこでこの発明は、メダルタンク装置内のメダルの貯留状態をメダルの量をメダル計数機の表示画面に分かり易く表示することができるメダル計数機およびメダル計数システムを提供することを目的とする。
【課題を解決するための手段】
【００１３】
上記目的を達成する為に、請求項１の発明は、メダル計数機が、遊技機による遊技により獲得したメダルを受け入れるメダル受入手段と、前記メダル受入手段により受け入れたメダルを計数する計数手段と、前記計数手段で計数したメダルをメダルタンク装置に排出するメダル排出手段と、前記メダルタンク装置に収容されているメダルの収容状態に関する状態情報を取得する取得手段と、前記取得手段によって取得した前記状態情報に基づいて前記メダルタンク装置のメダルの収容状態を表示する表示手段とを具備するように構成される。
【００１４】
また、請求項２の発明は、請求項１の発明において、前記表示手段は、前記状態情報が示す前記メダルタンク装置のメダル収容量に対応して前記メダルタンク装置の状態表示を段階的に切り換える。
【００１５】
また、請求項３の発明は、請求項２の発明において、前記表示手段は、前記メダルタンク装置の状態表示を図形、文字、色の少なくとも１つを用いて表示する。
【００１６】
また、請求項４の発明は、請求項２または３の発明において、前記表示手段は、前記状態情報が示す前記メダルタンク装置のメダル収容量が該メダルタンク装置で収容可能なメダル上限容量に近くなったときにその旨を表示する。
【００１７】
また、請求項５の発明は、請求項２乃至４のいずれかの発明において、前記表示手段は、前記状態情報が示す前記メダルタンク装置のメダル収容状態が異常状態になったときにその旨を表示する。
【００１８】
また、請求項６の発明は、メダル計数システムは、メダル計数機と、前記メダル計数機で計数したメダルを収容するメダルタンク装置とを備え、前記メダル計数機は、遊技機による遊技により獲得したメダルを受け入れるメダル受入手段と、前記メダル受入手段により受け入れたメダルを計数する計数手段と、前記メダルタンク装置に収容されているメダルの収容状態に関する状態情報を取得する取得手段と、前記取得手段によって取得した前記状態情報に基づいて前記メダルタンク装置のメダルの収容状態を表示する表示手段とを具備し、前記メダルタンク装置は、該メダルタンク装置に収容されたメダルの収容状態を検知する検知手段と、前記検知手段で検知したメダルの収容状態に関する状態情報を前記メダル計数機に送信する送信手段とを備えるように構成される。
【００１９】
また、請求項７の発明は、請求項６の発明において、前記検知手段は、前記メダルタンク装置に収容されたメダルの収容量を検知する複数個のレベルセンサを有し、前記送信手段は、前記複数個のレベルセンサのそれぞれの検知状態に基づき前記メダルタンク装置に収容されているメダルの収容状態に関する状態情報を前記メダル計数機に送信するように構成される。
【発明の効果】
【００２０】
請求項１または６または７の発明によれば、メダルタンク装置のメダルの収容状態をメダル計数機で表示することができるという効果を奏する。
【００２１】
請求項２の発明によれば、メダルタンク装置のメダルの収容状態の変化をメダル計数機で表示することができるという効果を奏する。
【００２２】
請求項３の発明によれば、メダルタンク装置のメダルの収容状態をメダル計数機でわかり易く表示することができるという効果を奏する。
【００２３】
請求項４の発明によれば、メダル計数機の表示を確認することで、メダルタンク装置よりメダルの外部回収の必要性を確認することができるという効果を奏する。
【００２４】
請求項５の発明によれば、メダル計数機の表示を確認することで、メダルタンク装置内の異常状態の発生を確認することができる。
【発明を実施するための最良の形態】
【００２５】
以下、本発明に係わるメダル計数機およびメダル計数システムの実施例について添付図面を参照して詳細に説明する。
【００２６】
パチスロ機などの遊技機を設置した遊技店では、遊技客が獲得したメダルを計数するメダル計数機が設置される。
【００２７】
図１は、メダル計数機３００およびメダル計数機３００とメダルタンク装置４００とからなるメダル計数システムとメダル計数システムに接続される管理サーバ等の装置の概略を示した模式図である。
【００２８】
メダル計数機３００は、図１に示すようにメダルタンク装置４００の上に通信可能に設置され、メダルを投入するのに容易な場所に計数部３０２が備えられ、遊技客や店員に視認容易な場所に表示／操作部３０４が備えられ、メダル計数機３００の左右の端に表示ランプ３０３が備えられる。
【００２９】
また、メダル計数機３００は、レシート発行機５００と接続され、レシート発行機５００は管理サーバ１００と接続される。
【００３０】
レシート発行機５００は、メダル計数機から計数値を取得して、該計数値を特定できる計数レシートを発行するとともに、メダルの計数情報やその他の情報を管理サーバ１００へ送信する機能を有する。
【００３１】
管理サーバ１００は、遊技場内で使用される遊技カードの統括管理や各種装置の統括管理を行う。
【００３２】
計数部３０２には、計数されるメダルが投入されて、計数部３０２内の計数センサ２１０によって投入されたメダルの計数が行われる。
【００３３】
計数されたメダルは、メダル計数機３００の下に設置されるメダルタンク装置４００に排出されてメダルタンク装置４００に貯留（収容）される。
【００３４】
表示操作部２０４は、液晶のタッチパネルで構成され、メダル計数機３００を操作する遊技客や店員によってメダル計数機３００に指示が入力され、また、遊技客や店員にメダル計数機３００の情報を表示する。
【００３５】
表示ランプ３０３は、メダル計数機３００に故障等が発生したり、メダル計数機３００の下に設置されるメダルタンク装置４００にメダルタンクフル状態やブリッジ状態などが発生して店員に報知する必要が生じた時に、それを行うためのものである。
【００３６】
ここでメダルタンクフル状態というのは、メダルタンク装置４００にメダルが大量に貯留され、店員による回収が必要な状態であり、この状態になるとメダル計数機３００では追加のメダルの受け付けが出来なくなる。
【００３７】
また、ブリッジ状態というのは、後で図面を使用して説明するが、メダルタンク装置４００内にメダルが貯留される際に、均一に積み重ねられて貯留されるのではなくメダルタンク装置４００内に一定の空間を形成して貯留される状態である。
【００３８】
メダル計数機３００の下に設置されるメダルタンク装置４００には、貯留されるメダルの量を測定するセンサとしてレベルセンサ４０４が備えられる。
【００３９】
レベルセンサ４０４は、メダル計数機３００内部に備えられる３つのセンサで構成され、それらセンサは、レベルセンサ１（４１１）、レベルセンサ２（４１２）、レベルセンサ３（４１３）である。
【００４０】
そして、各々のセンサは、導通センサで構成され、センサが設置されたラインまでメダルが貯留されて、メダルがセンサに触れてセンサ内で電気伝導が検知され、電気伝導を検知した各々のセンサが設置された高さまでメダルが貯留されたことが検知される（特殊な検知パターンとしてブリッジ状態という状態もある）。
【００４１】
次に、メダルタンク装置４００に設置されるレベルセンサ４０４によってメダルの貯留状況が検知される様子を図２を参照して説明する。
【００４２】
図２は、メダルタンク装置４００の内部にメダルが貯留された様子を示した模式図であり、図２（ａ）はレベルセンサ１（４１１）で検知される状態までメダルが貯留されたメダルタンク装置４００の内部を示した模式図であり、図２（ｂ）は上述して説明したブリッジ状態が発生したメダルタンク装置４００の内部を示した模式図である。
【００４３】
図２（ａ）に示すように、メダルタンク装置４００の内部にメダルが貯留されて、貯留されたメダルがレベルセンサ１（４１１）を覆っていて、メダルがレベルセンサ１（４１１）に触れることで導通センサが電気伝導を検知し、レベルセンサ１（４１１）がメダルを検知する。
【００４４】
また、図２（ａ）に示す状態では、レベルセンサ２（４１２）とレベルセンサ３（４１３）が設置されている高さまでメダルは貯留されておらず、両センサはメダルの検知を行わない。
【００４５】
ブリッジ状態について説明すると、図２（ｂ）に示すように、３つのセンサの内で一番下の高さに設置されているレベルセンサ１（４１１）はメダルの検知を行わずにその上の高さに設置されているレベルセンサ２（４１２）はメダルの検知を行っている。
【００４６】
この図２（ｂ）に示すように、メダルがメダルダンク装置３００内で不均一に貯留されて一部に空間が形成されると、レベルセンサ２（４１２）或いはレベルセンサ３（４１３）でメダルを検知して検知したセンサより下に位置するセンサではメダルの検知が行なわれないブリッジ状態と呼ばれる状態が発生する。
【００４７】
次に、メダル計数機３００の構成について図３を参照して説明を行う。
【００４８】
図３は、メダル計数機３００の構成を示したブロック図である。
【００４９】
図３に示すように、メダル計数機３００は、制御部３０１、計数部３０２、表示ランプ３０３、表示／操作部３０４、タンク通信部３０５、記憶部３０６、電源部３０７、外部通信部３０８を備える。
【００５０】
制御部３０１は、メダル計数機３００の統括的な制御を行う。
【００５１】
計数部３０２は、遊技客から投入されたメダルの計数を行い、また、円板駆動部３０９、メダル搬送部３１０、計数センサ３１１、通路切換部３１２を備える。
【００５２】
円板駆動部３０９は、回転可能な円板で構成され、投入されたメダル回転円板によってメダル搬送部３１０に送り出す。
【００５３】
メダル搬送部３１０は、回転円板から送り出されたメダルを搬送する。
【００５４】
メダル搬送部３１０の途中には、計数センサ３１１や通路切換部３１２が配置され、末端はメダルタンク装置４００につながる。
【００５５】
計数センサ３１１は、搬送されたメダルの計数を行い、遊技客が投入した全メダル数の計数を行う。
【００５６】
通路切換部３１２は、計数した正常メダルをメダルタンク装置４００へ排出するか、変形メダルや小径メダルをメダル計数機３００の図示しないリジェクト部へ排出するかを切り換える。
【００５７】
表示ランプ３０３は、メダル計数機３００の左右の端に設定され、メダル計数機３００に故障等が発生したり、メダルタンク装置４００に異常が発生したときに、店員に報知させるべくランプを点灯する。
【００５８】
表示／操作部３０４は、液晶のタッチパネルで構成され、遊技客や店員の指示を受け付け、遊技客や店員に情報を表示する。
【００５９】
タンク通信部３０５は、メダルタンク装置４００との通信のためのものであり、メダルタンク装置４００に貯留されるメダルの貯留状態に関する情報や、メダルタンク装置４００に異常状態が発生した情報等を受信する。
【００６０】
メダルタンク装置４００の異常状態とは、前述したメダルダンクフル状態やブリッジ状態のことである。
【００６１】
それ以外のメダルタンクミドル状態等を異常状態と設定しても良い。
【００６２】
記憶部３０６は、不揮発性メモリ等の各種記憶装置で構成され、メダル計数機３００を動作させるプログラムを記憶する。
【００６３】
電源部３０７は、メダル計数機３００に電源を供給する。
【００６４】
外部通信部３０８は、レシート発行機５００を経由して管理サーバ１００と接続され、計数情報をレシート発行機５００へ通知したり、メダル計数機３００の故障等や、メダルタンク装置４００で発生した異常状態を管理サーバ１００に通知する。
【００６５】
このように構成されるメダル計数機３００は、遊技客より投入されたメダルをメダル計数機３００内の計数部３０２が計数し、計数されたメダルはメダルタンク装置４００に貯留される。
【００６６】
そして、メダル計数機３００内のタンク通信部３０５が、メダルタンク装置４００に貯留されたメダルの貯留状態をメダルタンク装置４００より受信して、貯留状態を表示／操作部３０４に表示する。
【００６７】
また、メダルタンク装置４００でメダルタンクフル状態やブリッジ状態の異常状態が発生するとその情報を受信して、表示ランプ３０３を点灯させると共に、管理サーバ１００に通知する。
【００６８】
次に、メダルタンク装置４００の構成について図４を参照して説明を行う。
【００６９】
図４は、メダルタンク装置４００の構成を示したブロック図である。
【００７０】
メダルタンク装置４００は、制御部４０１、計数機通信部４０２、搬出機構４０３、レベルセンサ４０４、貯留部４０５とを備える。
【００７１】
制御部４０１は、メダルタンク装置４００の統括的な制御を行う。
【００７２】
計数機通信部４０２は、メダル計数機３００と通信回線で接続され、メダルタンク装置４００内のメダル貯留状態やメダルタンク装置４００内で発生する各種異常状態の通知等を行う。
【００７３】
搬出機構４０３は、メダルタンク装置４００に貯留されたメダルを遊技場内の自動補給機構によって搬出するための機械である。
【００７４】
レベルセンサ４０４は、前述のように導通センサで構成され、導体であるメダルがセンサに触れることによって電気伝導が発生し、メダルの検知が行なわれる。
【００７５】
そして、レベルセンサ４０４は、レベルセンサ１（４１１）、レベルセンサ２（４１２）、レベルセンサ３（４１３）で構成され、貯留されるメダルの量を検知するために、メダルタンク装置４００内にそれぞれ高さが異なる状態で配置される。
【００７６】
一番低い場所にはレベルセンサ１（４１１）が配置され、メダルタンクフル状態になる高さの位置にはレベルセンサ３（４１３）が配置され、それら２つのセンサの間の高さにレベルセンサ２（４１２）が配置される。
【００７７】
貯留部４０５は、メダル計数機３００で計数されて排出されるメダルを貯留する。
【００７８】
このように構成されるメダルタンク装置４００は、メダル計数機３００で計数されたメダルが貯留部４０５に貯留され、貯留された状態に応じてレベルセンサ４０４がメダルの検知を行い、レベルセンサ４０４で検知されたセンサの組み合わせより制御部４０１がメダルの貯留状態や異常状態を把握して、その把握した状態をメダル計数機３００に通信する。
【００７９】
次に、レベルセンサ４０４の内のメダルを検知するセンサの組み合わせと、制御部４０１によって判断されるメダルタンク装置４００内の状態と、メダル計数機３００の表示／操作部３０４に表示されるメダルタンク装置４００内の状態を示す画面について図５乃至９を参照して説明する。
【００８０】
まず、レベルセンサ４０４の３つのセンサが全くメダルを検知しない状態について図５を参照して説明する。
【００８１】
図５は、レベルセンサ４０４がメダルを検知しない状態のときの表示／操作部３０４に表示される画面などについて示した模式図であり、図５（ａ）は、メダルを検知したセンサの組み合わせと制御部４０１によって判断されるメダルタンク装置４００のメダル貯留状態とメダル計数機３００の表示／操作部３０４に表示されるメダル貯留状態の表示を示す模式図であり、図５（ｂ）は、表示／操作部３０４に表示される表示画面の画面構成図である。
【００８２】
図５（ａ）に示すように、レベルセンサ４０４の全てのセンサがメダルを検知しないときは（参照番号５０１）、メダルタンク装置４００の制御部４０１によってメダルタンク内のメダル貯留状態が『メダルタンクエンプティ』状態であると判断され（参照番号５０２）、参照番号５０３に示すような表示がメダル計数機３００の表示／操作部３０４に表示される。
【００８３】
図５（ｂ）に示すように、全てのセンサがメダルを検知しないときは、メダル計数機３００の表示／操作部３０４には画面左上にメダルタンク装置４００内のメダル貯留状態が『メダルタンクエンプティ』状態であることを示す表示が行われる。
【００８４】
次に、レベルセンサ４０４のレベルセンサ１（４１１）だけがメダルを検知した状態について図６を参照して説明する。
【００８５】
図６は、レベルセンサ４０４のレベルセンサ１（４１１）だけがメダルを検知した状態のときの表示／操作部３０４に表示される画面などについて示した模式図であり、図６（ａ）は、メダルを検知したセンサの組み合わせと制御部４０１によって判断されるメダルタンク装置４００のメダル貯留状態とメダル計数機３００の表示／操作部３０４に表示されるメダル貯留状態の表示を示す模式図であり、図６（ｂ）は、表示／操作部３０４に表示される表示画面の画面構成図である。
【００８６】
図６（ａ）に示すように、レベルセンサ４０４のレベルセンサ１（４１１）だけがメダルを検知したときは（参照番号６０１）、メダルタンク装置４００の制御部４０１によってメダルタンク装置４００内のメダル貯留状態が『メダルタンクニアエンプティ』であると判断され（参照番号６０２）、タンクの３分の１が白で埋められた参照番号６０３に示すような表示がメダル計数機３００の表示／操作部３０４に表示される。
【００８７】
『メダルタンクニアエンプティ』というメダル貯留状態は、レベルセンサ１（４１１）にだけメダル検知が行われるまでメダルが貯留された状態である。
【００８８】
図６（ｂ）に示すように、レベルセンサ１（４１１）だけがメダル検知をおこなったときは、メダル計数機３００の表示／操作部３０４には画面左上にメダルタンク装置４００内のメダル貯留状態が『メダルタンクニアエンプティ』状態であることを示す表示が行われる。
【００８９】
次に、レベルセンサ４０４のレベルセンサ１（４１１）とレベルセンサ２（４１２）が共にメダルを検知した状態について図７を参照して説明する。
【００９０】
図７は、レベルセンサ４０４のレベルセンサ１（４１１）とレベルセンサ２（４１２）が共にメダルを検知したときの表示／操作部３０４に表示される画面などについて示した模式図であり、図７（ａ）は、メダルを検知したセンサの組み合わせと制御部４０１によって判断されるメダルタンク装置４００のメダル貯留状態とメダル計数機３００の表示／操作部３０４に表示されるメダル貯留状態の表示を示す模式図であり、図７（ｂ）は、表示／操作部３０４に表示される表示画面の画面構成図である。
【００９１】
図７（ａ）に示すように、レベルセンサ４０４のレベルセンサ１（４１１）とレベルセンサ２（４１２）が共にメダルを検知したときは（参照番号７０１）、メダルタンク装置４００の制御部４０１によってメダルタンク装置４００内のメダル貯留状態が『メダルタンクミドル』状態であると判断され（参照番号７０２）、タンクの３分の２が白で埋められた参照番号７０３に示すような表示がメダル計数機３００の表示／操作部３０４に表示される。
【００９２】
『メダルタンクミドル』というメダル貯留状態は、レベルセンサ１（４１１）とレベルセンサ２（４１２）との両方にだけメダル検知が行われるまでメダルが貯留された状態である。
【００９３】
図７（ｂ）に示すように、レベルセンサ１（４１１）とレベルセンサ２（４１２）だけがメダル検知を行ったときは、メダル計数機３００の表示／操作部３０４には、画面左上にメダルタンク装置４００内のメダル貯留状態が『メダルタンクミドル』状態であることを示す表示が行われて、画面中央に「メダルタンクを確認して下さい」という表示がなされる。
【００９４】
但し、この状態であっても、「計数開始」が指示されれば計数を実行可能であり、表示／操作部３０４が複数画面に切り換わる。
【００９５】
そして、計数処理が終了後、図７（ｂ）の表示状態に戻る。
【００９６】
また、図７（ｂ）に示す表示が表示／操作部３０４に表示されたときには、管理サーバ１００にメダル貯留状態が『メダルタンクミドル』状態である旨の通知が行われる。
【００９７】
次に、レベルセンサ４０４のレベルセンサ１（４１１）とレベルセンサ２（４１２）とレベルセンサ３（４１３）とが全てメダル検知を行った状態について図８を参照して説明する。
【００９８】
図８は、レベルセンサ４０４のレベルセンサ１（４１１）とレベルセンサ２（４１２）とレベルセンサ３（４１３）との全てのレベルセンサがメダルを検知したときの表示／操作部３０４に表示される画面などについて示した模式図であり、図８（ａ）は、メダルを検知したセンサの組み合わせと制御部４０１によって判断されるメダルタンク装置４００のメダル貯留状態とメダル計数機３００の表示／操作部３０４に表示されるメダル貯留状態の表示を示す模式図であり、図８（ｂ）は、表示／操作部３０４に表示される表示画面の画面構成図である。
【００９９】
図８（ａ）に示すように、レベルセンサ４０４の全てのレベルセンサがメダルを検知したときには（参照番号８０１）、メダルタンク装置４００の制御部４０１によってメダルタンク装置４００のメダル貯留状態が『メダルタンクフル』状態であると判断され（参照番号８０２）、タンクの全てが埋められた参照番号８０３に示すような表示がメダル計数機３００の表示／操作部３０４に赤色表示される。
【０１００】
『メダルタンクフル』というメダル貯留状態は、レベルセンサ４０４の全てのレベルセンサによってメダルが検知されて、メダルの受け入れを不可とする状態である。
【０１０１】
図８（ｂ）に示すように、レベルセンサ４０４の全てのレベルセンサがメダルを検知したときには、メダル計数機３００の表示／操作部３０４には画面左上にメダルタンク装置４００内のメダル貯留状態が『メダルタンクフル』状態であることを示す表示が行われる。
【０１０２】
このようにメダルタンク装置４００内のメダル貯留状態が『メダルタンクフル』状態である場合には、メダル計数機３００はメダルの受け付けを不可として、図８（ｂ）に示すように「取引中止」の表示を表示／操作部３０４に示す。
【０１０３】
また、『メダルタンクフル』状態が検知されると、メダル計数機３００の表示ランプ３０３が点滅し、また、メダル計数機３００より管理サーバ１００に『メダルタンクフル』状態の通知が行われる。
【０１０４】
すると、店員が、メダルタンク装置４００の前面を開放し、貯留メダルを別の容器に回収する操作を行う。
【０１０５】
次に、メダルタンク装置４００内で『ブリッジ』状態が検知されたときの状態について図９を参照して説明する。
【０１０６】
図９は、メダルタンク装置４００内で『ブリッジ』状態が検知されたときの状態について示した模式図であり、図９（ａ）は、メダルを検知したセンサの組み合わせと制御部４０１によって判断されるメダルタンク装置４００のメダル貯留状態とメダル計数機３００の表示／操作部３０４に表示されるメダル貯留状態の表示を示す模式図であり、図９（ｂ）は、表示／操作部３０４に表示される表示画面の画面構成図である。
【０１０７】
図９（ａ）に示すように、レベルセンサ４０４のレベルセンサ２（４１２）だけがメダルを検知した場合や、レベルセンサ４０４のレベルセンサ１（４１１）とレベルセンサ３（４１３）だけがメダルを検知した場合や、レベルセンサ４０４のレベルセンサ３（４１３）だけがメダルを検知した場合には（参照番号９０１）、メダルタンク装置４００の制御部４０１によってメダルタンク装置４００のメダル貯留状態が『ブリッジ』状態であると判断され（参照番号９０２）、タンクの全てが埋められた参照番号９０３に示すような表示がメダル計数機３００の表示／操作部３０４に黄色表示される。
【０１０８】
図９（ｂ）に示すように、制御部４０１が『ブリッジ』状態であると判断した場合には、メダル計数機３００の表示／操作部３０４には画面左上にメダルタンク装置４００内のメダル貯留状態が『ブリッジ』状態であることを示す表示が行われる。
【０１０９】
図９（ｂ）に示す表示／操作部３０４の表示状態を見て『ブリッジ』状態が発生していることに気付いた店員は、メダルタンク装置４００の前面を開放して、貯留メダルを突付く等の行為によりタンク内の『ブリッジ』状態を解消する。
【０１１０】
『ブリッジ』状態が解消されれば、レベルセンサ４０４の検知パターンが正常状態に戻り、その検知パターンに応じた表示が表示／操作部３０４に表示される。
【０１１１】
尚、『ブリッジ』が発生した状態であっても、「計数開始」が指示されれば計数を実行可能であり、表示／操作部３０４が計数画面に切り換わる。
【０１１２】
そして、計数処理が終了後、図９（ａ）の表示状態に戻る。
【０１１３】
次に、メダルタンク装置４００がメダル計数機３００にメダル貯留状態を通信する信号について図１０を参照して説明する。
【０１１４】
図１０は、メダルタンク装置４００の計数通信部４０２がメダル計数機３００のタンク通信部３０５に送信するメダル貯留状態を示す信号について示した図であり、図１０（ａ）はメダルタンクフル状態を示す信号であり、図１０（ｂ）はメダルタンクミドル状態を示す信号であり、図１０（ｃ）はメダルタンクニアエンプティ状態を示す信号であり、図１０（ｄ）はメダルタンクエンプティ状態を示す信号であり、図１０（ｅ）はブリッジ状態を示す信号である。
【０１１５】
メダルタンク装置４００がメダルタンクフル状態のときに、メダルタンク装置４００からメダル計数機３００に送られる信号は、図１０（ａ）に示すように、信号の立上りエッジから１秒以上連続ＯＮ状態が維持される信号である。
【０１１６】
また、メダルタンク装置４００がメダルタンクミドル状態のときに、メダルタンク装置４００からメダル計数機３００に送られる信号は、図１０（ｂ）に示すように、信号の立上りエッジから０．５秒後には立下りが確認され、信号の立上りエッジから１分間は次の立上りを確認されない信号である。
【０１１７】
また、メダルタンク装置４００がメダルタンクニアエンプティ状態のときに、メダルタンク装置４００からメダル計数機３００に送られる信号は、図１０（ｃ）に示すように、信号の立上りエッジから１秒後に立下りが確認され、信号の立上りエッジから１分間は次の立上りエッジが確認されない信号である。
【０１１８】
また、メダルタンク装置４００がメダルタンクエンプティ状態のときに、メダルタンク装置４００からメダル計数機３００に送られる信号は、図１０（ｄ）に示すように、信号の立上りエッジが１分間以上確認されない信号である。
【０１１９】
また、メダルタンク装置４００のレベルセンサ２（４１２）だけがメダルを検知したブリッジ状態、或いは、レベルセンサ１（４１１）とレベルセンサ３（４１３）とがメダルを検知したブリッジ状態、或いは、レベルセンサ３（４１３）だけがメダルを検知したブリッジ状態のときに、メダルタンク装置４００から送られる信号は、１．５秒のパルス幅を持つパルス波形が１．５秒の繰り返し時間間隔で繰り返される信号である。
【０１２０】
尚、メダルタンク装置４００の計数通信部４０２からメダル計数機３００のタンク通信部３０５に送られる信号は、メダルタンク装置４００のメダル貯留状態が変化したときには０．５秒のＯＦＦ時間が設けられて、その後、変化後のメダル貯留状態を示す信号が送信される。
【０１２１】
尚、メダル計数機３００の表示／操作部３０４に表示される、メダル貯留状態を示す表示は、図５乃至８を参照して説明した模式図（参照番号５０３、６０３、７０３、８０３）で示されるのではなく、パーセント表示で表示されるように構成される或いは貯留状態を色の違いで表現されるように構成されてもよい。
【０１２２】
尚、レベルセンサ４０４は３つのセンサで構成されるように説明したが、センサの数を３とは異なる数でレベルセンサ４０４を構成するようにしてもよい。
【０１２３】
尚、ブリッジ状態のパターン（レベルセンサ４０４のメダルを検知したレベルセンサの組み合わせパターン）により、メダル計数機３００に送る信号パターンを異なるように設定し、メダル計数機３００の表示／操作部３０４に異なる表示を行うようにしてもよい。
【産業上の利用可能性】
【０１２４】
この発明は、メダル計数機およびメダル計数システムにおいて利用可能である。
【０１２５】
この発明によれば、メダルタンク装置内のメダルの貯留状態をメダル計数機３００の表示画面に分かり易く表示することができる。
【図面の簡単な説明】
【０１２６】
【図１】メダル計数システムとメダル計数システムに接続される装置の概略を示した模式図。
【図２】メダルタンク装置４００の内部にメダルが貯留された様子を示した模式図。
【図３】メダル計数機３００の構成を示したブロック図。
【図４】メダルタンク装置４００の構成を示したブロック図。
【図５】メダルタンクエンプティ状態のときに表示／操作部３０４に表示される画面などを示した模式図。
【図６】メダルタンクニアエンプティ状態のときに表示／操作部３０４に表示される画面などを示した模式図。
【図７】メダルタンクミドル状態のときに表示／操作部３０４に表示される画面などを示した模式図。
【図８】メダルタンクフル状態のときに表示／操作部３０４に表示される画面などを示した模式図。
【図９】ブリッジ状態のときに表示／操作部３０４に表示される画面などを示した模式図。
【図１０】メダルタンク装置４００からメダル計数機３００に送信される信号を示す図。
【符号の説明】
【０１２７】
１００    管理サーバ
２００    パチスロ機
３００    メダル計数機
３０１    制御部
３０２    計数部
３０３    表示ランプ
３０４    表示／操作部
３０５    タンク通信部
３０６    記憶部
３０７    電源部
３０８    外部通信部
３０９    円板駆動部
３１０    計数センサ
３１１    通路切換部
４００    メダルタンク装置
４０１    制御部
４０２    計数機通信部
４０３    搬出機構
４０４    レベルセンサ
４０５    貯留部
４１１    レベルセンサ１
４１２    レベルセンサ２
４１３    レベルセンサ３
５００    レシート発行機
【図１】
2008119190.tif 000003
【図２】
2008119190.tif 000004
【図３】
2008119190.tif 000005
【図４】
2008119190.tif 000006
【図５】
2008119190.tif 000007
【図６】
2008119190.tif 000008
【図７】
2008119190.tif 000009
【図８】
2008119190.tif 000010
【図９】
2008119190.tif 000011
【図１０】
2008119190.tif 000012